(57)【特許請求の範囲】
【請求項１】
複数本の棒状部材（１，１１）が相互に連結された平面構造体であって、前記棒状部材（１，１１）が、純度９７．００ｗｔ％〜９９．９９ｗｔ％の錫からなり自在に変形できるものであり、前記棒状部材（１）からなる環状部材（２）を複数個備え、該環状部材（２）が、互いに相似形で大きさが異なりかつ同心であり、それぞれの前記環状部材（２）が、その一つ内側の前記環状部材（２）および一つ外側の前記環状部材（２）と、中心に対して９０度間隔で配置された前記棒状部材（１１）により連結されていて、内側から外側にかけて、それぞれの前記環状部材（２）を連結する前記棒状部材（１１）が４５度ずつずらして配置されていることを特徴とする錫構造体。
【請求項２】
前記環状部材（２）が矩形であり、それぞれの前記環状部材（２）が、その一つ内側の前記環状部材（２）および一つ外側の前記環状部材（２）と、矩形の対角線方向または辺の二等分線方向の前記棒状部材（１１）により連結されていて、内側から外側にかけて、対角線方向の前記棒状部材（１１）と辺の二等分線方向の前記棒状部材（１１）とが交互に設けられていることを特徴とする請求項１記載の錫構造体。
【発明の詳細な説明】
【技術分野】
【０００１】
本発明は、自由に変形することができ、種々の用途に使用することができる錫構造体に関する。
【背景技術】
【０００２】
錫は、融点が低く、また酸化や腐食に強いため、古くから食器などの素材として用いられてきた。しかしながら、１００％に近い純度の錫は非常に柔らかく、この特性は、製品にした際には、変形しやすく傷つきやすいという短所であるととらえられていた。加えて、高純度の錫は粘り強く加工性が悪いため、一般には、アンチモン、鉛、銅などの金属を加えて加工性を高めた錫合金が用いられている。
【発明の開示】
【発明が解決しようとする課題】
【０００３】
これに対して、本発明は、１００％に近い純度の錫の柔らかさを長所ととらえ、従来にない、自由に変形することができ、種々の用途に使用することができる錫構造体を提供することを目的とする。
【課題を解決するための手段】
【０００４】
本発明のうち請求項１の発明は、複数本の棒状部材が相互に連結された平面構造体であって、前記棒状部材が、純度９７．００ｗｔ％〜９９．９９ｗｔ％の錫からなり自在に変形できるものであり、前記棒状部材からなる環状部材を複数個備え、該環状部材が、互いに相似形で大きさが異なりかつ同心であり、それぞれの前記環状部材が、その一つ内側の前記環状部材および一つ外側の前記環状部材と、中心に対して９０度間隔で配置された前記棒状部材により連結されていて、内側から外側にかけて、それぞれの前記環状部材を連結する前記棒状部材が４５度ずつずらして配置されていることを特徴とする。ここで、棒状部材とは、長手方向と短手方向が区別される程度の長さを有する部材であり、直線状でも曲線状でもよい。そしてこの棒状部材が、その端部同士で連結されていても、交差点において連結されていてもよい。なお、連結するとは、別々の棒状部材を後から結合する場合のみならず、鋳造などにより、当初から当該形状を一体的に形成する場合も含む。また、平面構造体とは、すべての棒状部材が同一平面状に位置しているものをいう。さらに、錫の純度については、人の手で自在に変形できる範囲とする。錫は純度が高いほど柔らかいが、純度が９７．００ｗｔ％を下回ると、女性や子供では簡単に変形できないくらいの硬さになってしまうので、上記の範囲とすることが望ましい。なお、素材の錫自体が柔らかくても、棒状部材の断面積が大きすぎると人の手で変形できなくなってしまうので、棒状部材の断面形状は、幅３〜７ｍｍ、高さ２〜３ｍｍの長方形状であることが望ましい。また、環状部材とは、一つの棒状部材を曲げ、または複数の棒状部材を連結して形成されるものであり、その形状は、円形、楕円形、多角形などが挙げられる。
【０００５】
また、前記棒状部材が、純度９９．００ｗｔ％〜９９．９９ｗｔ％の錫からなるものであれば、より望ましい。本発明の錫構造体は、どのような方法により製造されるものでもよく、たとえば打ち抜き、削り出し、鋳造などが挙げられるが、打ち抜きの場合には金型の製造に費用が掛かり、また純度の高い錫は加工性が悪いため、削り出しは効率が悪い。よって、鋳造により製造するのが最も好ましいといえる。しかし、本発明の錫構造体は複数の棒状部材が相互に連結された形状であるため、溶けた錫を鋳型に流し込む際に、末端まで錫が行き渡る前に冷えて固まってしまうおそれがある。そこで、錫の純度を９９．００ｗｔ％以上とすれば、溶けた錫の流動性が高いため、複雑な形状の構造体であっても鋳造により確実に形成することができる。
【０００６】
本発明のうち請求項２の発明は、前記環状部材が矩形であり、それぞれの前記環状部材が、その一つ内側の前記環状部材および一つ外側の前記環状部材と、矩形の対角線方向または辺の二等分線方向の前記棒状部材により連結されていて、内側から外側にかけて、対角線方向の前記棒状部材と辺の二等分線方向の前記棒状部材とが交互に設けられていることを特徴とする。
【発明の効果】
【０００７】
本発明のうち請求項１の発明によれば、純度が９７．００ｗｔ％以上の錫により形成されており、柔らかいため、棒状部材を自在に変形させ、皿状や筒状など、好みの形状とすることができ、種々の用途に使用できる。とくに、それぞれの環状部材を縦方向（変形前の棒状部材が位置する平面に対して垂直方向）に引っ張ることで、立体的な形状とすることができる。また、変形前は平面形状であるので、収納や輸送を効率的に行うことができる。さらに、高純度の錫は酸化に強く、いつまでも光沢を保ち続ける。
【０００８】
また、とくに錫の純度を９９．００ｗｔ％以上とすることで、溶かした際の流動性が高く、複雑な形状の構造体であっても鋳造により確実に形成することができる。
【０００９】
本発明のうち請求項２の発明によれば、自在に変形させて好みの形状とすることができ、とくにそれぞれの環状部材を縦方向（変形前の棒状部材が位置する平面に対して垂直方向）に引っ張ることで、立体的な形状とすることができる。
【発明を実施するための最良の形態】
【００１０】
本発明の錫構造体の具体的な構成について、各図面に基づいて説明する。図１は、平面図である。この錫構造体は、四本の棒状部材１からなる正方形の環状部材２を十個備える。これらの環状部材２はすべて大きさが異なりかつ同心である。そして、各環状部材２は、その一つ内側の環状部材２および外側の環状部材２と、正方形の対角線方向または辺の二等分線方向の棒状部材１１によって連結される。この際、内側から外側にかけて、対角線方向の棒状部材１１と辺の二等分線方向の棒状部材１１とが交互に設けられている。このように形成すると、各環状部材２を縦方向（紙面に対して垂直方向）に引っ張ることで、立体的な形状とすることができる。なお、棒状部材１、１１は、その断面形状が幅３ｍｍ〜７ｍｍ（場所によって異なる）、高さ３ｍｍの長方形である。
【００１１】
図２は、錫構造体１０１をワインラックとして使用する場合の例を示す。この場合、内側から五個の環状部材２１については変形させずに底部として、それより外側の環状部材２２を縦方向に引っ張り、ワインボトル１０２に適合する形状とする。そして、最外側の環状部材２３の一方の対向する頂点同士が接するような形状にすることで、その部分を持ち手とすることができる。
【００１２】
図３は、錫構造体１０１を傘立てとして使用する場合の例を示す。この場合、内側から三個の環状部材２４については変形させずに底部として、それより外側の環状部材２５を、内側から外側へかけて順次縦方向に引っ張り、筒型の形状として、内部に傘１０３を立てられるようにする。
【００１３】
また、図４は、錫構造体の別形態の平面図を参考に示したものである。別形態は、四本の棒状部材１からなる菱形の環状部材２を二十二個備える。これらの環状部材２はすべて大きさが同じで、これらが二列に整列しており、隣接する環状部材２が菱形の頂点で連結されている。このように形成すると、両端の環状部材２を横方向（紙面に対して水平左右方向）に引っ張ることで、平面的な形状のまま面積を広げることができる。なお、棒状部材１は、その断面形状が幅３ｍｍ、高さ３ｍｍの正方形である。
【００１４】
図５は、錫構造体の別形態２０１をフルーツトレーとして使用する場合の例を示す。この場合、両端の環状部材２６を引っ張って面積を広げ、さらに周縁部分の環状部材２７を上向きに曲げることで、皿状の形となり、りんご２０２などの果物やお菓子などを自由に載せることができる。
【００１５】
図６は、錫構造体の別形態２０１をオブジェとして使用する場合の例を示す。この場合、両端の環状部材２８を引っ張って面積を広げ、これを筒状に丸めて立てたもので、その内側に花瓶２０３を配置した。これにより、花瓶２０３だけを飾る場合と比べて異なる趣きを表現することができる。もちろん、錫構造体単体でオブジェとして飾ってもよいし、その他の置物などと組み合わせてもよい。
【００１６】
なお、本発明の錫構造体は、鋳造により製造されるものである。上記実施形態は複数の棒状部材が組み合わされた複雑な形状であるが、素材に純度９９．００ｗｔ％以上の錫を用いているため、溶かした際の流動性が高く、鋳型に流し込んだ際に、棒状部材の末端まで確実に行き渡らせることができる。なお、その際に用いる鋳型としては、砂型が、通気性が高く望ましい。
【００１７】
また、本発明の錫構造体の用途は上記の使用例に限られるものではなく、平面形状にして皿として用いたり、筒形にしてランプシェードとして用いたりするなど、使用者の自由な発想の下、どのような使い方をしてもよい。さらに、本発明の錫構造体の形状は上記の実施形態に限られるものではなく、棒状部材・環状部材の形状や個数および連結方法などはどのようなものであってもよい。
【図面の簡単な説明】
【００１８】
【図１】本発明の錫構造体を示す平面図。
【図２】錫構造体の、ワインラックとしての使用例を示す斜視図。
【図３】錫構造体の、傘立てとしての使用例を示す斜視図。
【図４】錫構造体の別形態を示す参考平面図。
【図５】別形態の、フルーツトレーとしての使用例を示す参考斜視図。
【図６】別形態の、オブジェとしての使用例を示す参考斜視図。
【符号の説明】
【００１９】
１、１１  棒状部材
２  環状部材
【図１】
0005159338.tif 000002
【図２】
0005159338.tif 000003
【図３】
0005159338.tif 000004
【図４】
0005159338.tif 000005
【図５】
0005159338.tif 000006
【図６】
0005159338.tif 000007